(57)【要約】【課題】  配線部材のコネクタが同一形状であっても誤組みする虞が少ない回路基板の接続構造を提供する。【解決手段】  第一の回路基板１０には、グランドパターンのみに導通している第一のコネクタ１２と、第一のコネクタ１２と同一形状の第二のコネクタ１３と、第一のコネクタ１２とは異なる形状の第三のコネクタ１４とが搭載されている。第二の回路基板２０には、第一のコネクタ１２に接続される第四のコネクタ２３と、第三のコネクタ１４に接続される第五のコネクタ２２とが搭載されている。第三の回路基板３０には、第二のコネクタ１３に接続される第六のコネクタ３２が搭載されている。第一の配線部材４０は、第一のコネクタ１２と第四のコネクタ２３とを接続する。第二の配線部材５０は、第二のコネクタ１３と第六のコネクタ３２とを接続する。第一の配線部材４０と第二の配線部材５０とは、第二の回路基板２０を隔てて配置されている。【選択図】  図１
2015018977.tif 000002
【特許請求の範囲】
【請求項１】
グランドパターンのみに導通している第一のコネクタと、前記第一のコネクタと同一形状の第二のコネクタと、前記第一のコネクタとは異なる形状の第三のコネクタと、が搭載された第一の回路基板と、
前記第一のコネクタに接続される第四のコネクタと、前記第三のコネクタに接続される第五のコネクタと、が搭載された第二の回路基板と、
前記第二のコネクタに接続される第六のコネクタが搭載された第三の回路基板と、
前記第一のコネクタと前記第四のコネクタとを接続する第一の配線部材と、
前記第二のコネクタと前記第六のコネクタとを接続する第二の配線部材と、
を備え、
前記第一の配線部材と前記第二の配線部材とは、前記第二の回路基板を隔てて配置されていることを特徴とする回路基板の接続構造。
【請求項２】
前記第一の配線部材と前記第二の配線部材とは、同一の長さであることを特徴とする請求項１に記載の回路基板の接続構造。
【請求項３】
前記第一のコネクタ及び前記第二のコネクタは、前記第一の回路基板の同一面に搭載されていることを特徴とする請求項１に記載の回路基板の接続構造。
【発明の詳細な説明】
【技術分野】
【０００１】
本発明は、回路基板と回路基板とを配線部材にて接続する回路基板の接続構造に関するものである。
【背景技術】
【０００２】
従来より、回路基板の接続構造が種々提案されており、例えば特許文献１に開示されている。斯かる回路基板の接続構造は、第一回路基板と第二回路基板とを配線部材で接続するものである。第一回路基板及び第二回路基板の他に第三回路基板を配置する場合、第一回路基板に対して第二回路基板が垂直に配置され、第二回路基板を覆うように第三回路基板が配置され、第一回路基板と第三回路基板を配線部材で接続するレイアウトが考えられる。
【０００３】
第一回路基板と第二回路基板とは第一接続部材にて接続されており、第一回路基板と第三回路基板とは第二接続部材にて接続されている。第一接続部材による第一回路基板と第二回路基板との接続は、動作安定のためのグランド接続である。第二接続部材は、スピーカ等の電気素子を制御するための信号線である。ここで、第一回路基板はメイン基板であり、第二回路基板，第三回路基板はサブ基板である。
【先行技術文献】
【特許文献】
【０００４】
【特許文献１】特開２００９−１２２３２３号公報
【発明の概要】
【発明が解決しようとする課題】
【０００５】
しかしながら、第一配線部材と第二配線部材とで同じコネクタを使用した場合、第一回路基板と第二回路基板を接続するべき第一配線部材を第三回路基板に接続したり、第一回路基板と第三回路基板を接続するべき第二配線部材を第二回路基板に接続したりするような誤組みの虞があった。
本発明は、この問題に鑑みなされたものであり、配線部材のコネクタが同一形状であっても誤組みする虞が少ない回路基板の接続構造を提供するものである。
【課題を解決するための手段】
【０００６】
本発明は、グランドパターンのみに導通している第一のコネクタ１２と、前記第一のコネクタ１２と同一形状の第二のコネクタ１３と、前記第一のコネクタ１２とは異なる形状の第三のコネクタ１４と、が搭載された第一の回路基板１０と、前記第一のコネクタ１２に接続される第四のコネクタ２３と、前記第三のコネクタ１４に接続される第五のコネクタ２２と、が搭載された第二の回路基板２０と、前記第二のコネクタ１３に接続される第六のコネクタ３２が搭載された第三の回路基板３０と、前記第一のコネクタ１２と前記第四のコネクタ２３とを接続する第一の配線部材４０と、前記第二のコネクタ１３と前記第六のコネクタ３２とを接続する第二の配線部材５０と、を備え、前記第一の配線部材４０と前記第二の配線部材５０とは、前記第二の回路基板２０を隔てて配置されているものである。
【０００７】
また、本発明は、前記第一の配線部材４０と前記第二の配線部材５０とは、同一の長さであるものである。
【０００８】
また、本発明は、前記第一のコネクタ１２及び前記第二のコネクタ１３は、前記第一の回路基板１０の同一面に搭載されているものである。
【発明の効果】
【０００９】
第一の配線部材と第二の配線部材とが第二の回路基板を隔てて配置されているため、誤った配線をする虞が少ない。
【図面の簡単な説明】
【００１０】
【図１】本発明の実施形態を示す側面図。
【図２】同上実施形態を示す概略構成図。
【発明を実施するための形態】
【００１１】
以下、添付図面に基づいて、本発明の一実施形態を説明する。車両用表示装置は、回路基板１０，回路基板２０，回路基板３０，配線部材４０，配線部材５０，表示器６０，配線部材７０を備えている。
【００１２】
回路基板１０は、基材１１，コネクタ１２，コネクタ１３，コネクタ１４，マイコン１５を有している。回路基板１０の基材１１は、ガラスエポキシ樹脂からなる基板に、銅箔からなる配線パターンを形成したものである。コネクタ１２は、基材１１の第二面１１ｂに搭載されており、グランドパターン１８に導通している。コネクタ１２には配線部材４０が接続されているが、コネクタ１２は信号の送受信に供するものではない。
【００１３】
コネクタ１３は、コネクタ１２と同一形状になっており、基材１１の第二面１１ｂに搭載されている。コネクタ１３には、配線部材５０のコネクタ５２が接続されている。コネクタ１４は基材１１の第二面１１ｂに搭載されており、コネクタ１４には回路基板２０のコネクタ２２が接続されている。コネクタ１４は、コネクタ１２，１３とは異なる形状になっている。マイコン１５は基材１１の第一面１１ａに搭載されている。
【００１４】
回路基板２０は、基材２１，コネクタ２２，コネクタ２３，表示コントローラ２５を有している。回路基板２０の基材２１は、ガラスエポキシ樹脂からなる基板に、銅箔からなる配線パターンを形成したものである。回路基板２０は、回路基板１０に対して垂直に配置されている。コネクタ２２は基材２１の第一面２１ａに搭載されており、コネクタ２２には回路基板１０のコネクタ１４が接続されている。コネクタ２３は、基材２１の第二面２１に搭載されており、グランドパターン２８に導通している。コネクタ２３には配線部材４０が接続されているが、コネクタ２３は信号の送受信に供するものではない。
【００１５】
表示コントローラ２５は、ＧＤＣ（Graphics Display Controller）等のグラフィックコントローラからなり、基材２１の第一面２１ａに搭載されている。表示コントローラ２５は、コネクタ１４，２２を介して、マイコン１５と信号を送受信する。
【００１６】
回路基板３０は、基材３１，コネクタ３２，スピーカ３５を有している。回路基板３０の基材３１は、ガラスエポキシ樹脂からなる基板に、銅箔からなる配線パターンを形成したものである。回路基板３０は、回路基板１０に対して垂直に配置されている。コネクタ３２は、コネクタ２３と同一形状になっており、基材３１の第二面３１ｂに搭載されている。コネクタ３２には、配線部材５０のコネクタ５３が接続されている。スピーカ３５は基材３１の第一面３１ａに搭載されている。スピーカ３５は、コネクタ１３，３２，配線部材５０を介して、マイコン１５と信号を送受信する。
【００１７】
配線部材４０は、配線コード４１，コネクタ４２，コネクタ４３を有している。配線コード４１の一端にはコネクタ４２が設けられており、他端にはコネクタ４３が設けられている。配線部材４０のコネクタ４２には、回路基板１０のコネクタ１２が接続されている。配線部材４０のコネクタ４３には、回路基板２０のコネクタ２３が接続されている。配線部材４０は、信号線ではない。配線部材４０は、回路基板２０の第二面２１ｂ側に位置している。配線部材４０のコネクタ４２，４３は２端子型であり、コネクタ４２とコネクタ４３とは２芯の配線コード４１で繋がれている。
【００１８】
配線部材５０は、配線コード５１，コネクタ５２，コネクタ５３を有している。配線コード５１の一端にはコネクタ５２が設けられており、他端にはコネクタ５３が設けられている。配線部材５０のコネクタ５２には、回路基板１０のコネクタ１３が接続されている。配線部材５０のコネクタ５３には、回路基板３０のコネクタ３２が接続されている。
【００１９】
配線部材５０のコネクタ５２，５３は２端子型であり、コネクタ５２とコネクタ５３とは２芯の配線コード５１で繋がれている。配線部材５０は、回路基板２０の第一面２１ａ側に位置している。配線部材５０は配線部材４０と同一のものであり、配線部材４０と配線部材４０とを入れ替えても、何ら差支えない。
【００２０】
表示器６０は、ＴＦＴ型液晶表示器からなるものであり、警告情報や積算走行距離を表示する。配線部材７０は、可撓性配線板からなるものであり、回路基板２０と表示器６０とを接続している。表示器６０は、配線部材７０を介して、表示コントローラ２５から画像データを入力している。
【００２１】
配線部材４０と配線部材５０とは同一のものであり、且つ、配線部材４０，５０が接続されるコネクタ１２，１３が同一面（第二面１１ｂ）に搭載されているが、配線部材４０と配線部材５０とは、回路基板２０を隔てて配置されているため、誤った配線をする虞がない。
【符号の説明】
【００２２】
１０    回路基板（第一の回路基板）
１２    コネクタ（第一のコネクタ）
１３    コネクタ（第二のコネクタ）
１４    コネクタ（第三のコネクタ）
２０    回路基板（第二の回路基板）
２２    コネクタ（第五のコネクタ）
２３    コネクタ（第四のコネクタ）
３０    回路基板（第三の回路基板）
３２    コネクタ（第六のコネクタ）
４０    配線部材（第一の配線部材）
５０    配線部材（第二の配線部材）
【図１】
2015018977.tif 000003
【図２】
2015018977.tif 000004